(57)【要約】【課題】本発明は、極めて商品価値の高い画期的な開閉作業工具を提供することを目的とする。【解決手段】一対の半体１，２同志を枢着し、この枢着部３の一端側に設けられる握持操作部４の開閉操作により開閉動して切断，挟持，圧搾，孔開け等の手動作業をする開閉作業部５を前記枢着部３の他端側に設けた開閉作業工具において、前記開閉作業部５を開放方向に付勢する開放付勢を発揮する付勢機構６を具備し、この付勢機構６は、開閉作業部５を閉塞方向に付勢する閉塞付勢を発揮するように付勢方向を切り替え自在に構成したものである。【選択図】図１
2008142381.tif 000002
【特許請求の範囲】
【請求項１】
一対の半体同志を枢着し、この枢着部の一端側に設けられる握持操作部の開閉操作により開閉動して切断，挟持，圧搾，孔開け等の手動作業をする開閉作業部を前記枢着部の他端側に設けた開閉作業工具において、前記開閉作業部を開放方向に付勢する開放付勢を発揮する付勢機構を具備し、この付勢機構は、開閉作業部を閉塞方向に付勢する閉塞付勢を発揮するように付勢方向を切り替え自在に構成したことを特徴とする開閉作業工具。
【請求項２】
前記付勢機構は、閉じ状態の前記開閉作業部を切断，挟持，圧搾，孔開け等の手動作業に必要となる開放位置となるまで開放方向に付勢する開放付勢状態と、前記開閉作業部を閉塞方向に付勢して閉じ状態で該開閉作業部を保持する閉塞付勢状態とを切り替え自在に構成したことを特徴とする請求項１記載の開閉作業工具。
【請求項３】
一方向及びこの一方向と反対となる他方向いずれの方向への変形に際して戻り付勢を生じる付勢体を具備し、この付勢体を一方向に変形させた際に生じる戻り付勢が前記開閉作業部を開放方向に付勢する開放付勢として発揮するとともに、他方向へ変形させた際に生じる戻り付勢が前記開閉作業部を閉塞方向に付勢する閉塞付勢として発揮するように設けて、前記付勢方向が切り替え自在な前記付勢機構を構成したことを特徴とする請求項１，２のいずれか１項に記載の開閉作業工具。
【請求項４】
前記付勢体として一方向及び他方向いずれの方向への曲げ変形に際して戻り付勢を生じる付勢体を採用し、この付勢体を曲げ変形する方向を切り替えることで前記付勢方向が切り替え自在となるように設けて前記付勢機構を構成したことを特徴とする請求項３記載の開閉作業工具。
【請求項５】
前記付勢機構は、前記握持操作部を構成する一対の握持半体のうち一方の握持半体に突設した付勢体により押圧付勢される受け体を他方の握持半体に設けて構成されており、この付勢体の受け体に対する当接位置を可変して付勢体を曲げ変形する方向を切り替えることで前記付勢方向が切り替わるように前記付勢機構を構成したことを特徴とする請求項１〜４のいずれか１項に記載の開閉作業工具。
【請求項６】
前記付勢機構は、前記握持操作部を構成する一対の握持半体のうち一方の握持半体に突設した付勢体により押圧付勢される受け体を他方の握持半体に設けて構成されており、前記付勢体は、前記一方の握持半体から突出する突出位置Ｐから一方向及び他方向いずれの方向への曲げ変形に際して前記突出位置Ｐまで戻り付勢を生じるように構成されており、前記開閉作業部を閉塞する握持操作部の操作に際し、他方の握持半体に設けた受け体の一側部が前記付勢体に圧接して該付勢体を前記突出位置Ｐから一方向に曲げ変形させた際、前記開閉作業部を開放方向に付勢する開放付勢が生じ、この開放付勢を生じる曲げ変形方向と反対方向にして前記突出位置Ｐから他方向に前記付勢体を曲げ変形させ前記受け体の他側部に該付勢体を圧接させた際、開閉作業部の閉塞状態を保持する閉塞付勢が生じるように構成したことを特徴とする請求項１〜５のいずれか１項に記載の開閉作業工具。
【請求項７】
前記付勢体の先端部に曲がり部を設け、この曲がり部の曲がり外面を、開閉作業部を閉塞する握持操作部の操作に際し、他方の握持半体に設けた前記受け体の一側部が圧接する部位とし、前記曲がり部の曲がり内面を、開放付勢を生じる曲がり変形方向と反対方向にして突出位置Ｐから他方向に付勢体を曲がり変形させることで受け体の他側部に圧接する部位としたことを特徴とする請求項５，６のいずれか１項に記載の開閉作業工具。
【請求項８】
前記一方の握持半体を構成する棒状材に被嵌されるグリップ材に設けた配設部若しくは棒状材と該棒状材に被嵌されるグリップ材との間に長尺の付勢体の基端部を配設して前記付勢機構を構成したことを特徴とする請求項５〜７のいずれか１項に記載の開閉作業工具。
【請求項９】
前記開閉作業部として、作業半体夫々の内縁に刃部が設けられた開閉作業部を採用したことを特徴とする請求項１〜８のいずれか１項に記載の開閉作業工具。
【発明の詳細な説明】
【技術分野】
【０００１】
本発明は、ペンチやニッパなどの開閉作業工具に関するものである。
【背景技術】
【０００２】
従来から、ペンチやニッパなどの開閉作業工具として、一対の半体同志を交叉枢着し、この枢着部の一端側に設けられる一対の握持半体から成る握持操作部の開閉操作により開閉動する一対の作業半体から成る開閉作業部を前記枢着部の他端側に設け、前記握持操作部の閉塞動に伴い握持操作部を開放方向に付勢する開放付勢作用を生じる開放付勢体を設けた開閉作業工具が提案されている。
【０００３】
この開放付勢体を設けた開閉作業工具は、握持操作部を握る力を抜くだけで開放付勢体の開放付勢により先端部の開閉作業部が開放することになるから、被挟持物を摘んでは直ぐ離す、摘んでは直ぐ離す、といった開閉作業部の開閉を素早く繰り返し行なう作業に便利である（仮に開閉付勢体を具備しないタイプの開閉作業工具でこの作業を行なう場合、握持操作部を広げる方向への操作は一方の半体を指で挟んで行なうことになるが、これは非常に厄介で作業性が悪い。）。
【０００４】
ところが、この開放付勢体を設けた開閉作業工具は、前述した構造上、通常は開閉作業部における刃が露出した状態となる為、例えば不使用時に保管する場合などに安全性に問題点がある。
【０００５】
そこで、従来において、握持操作部に開閉作業部の閉塞状態を保持するストッパーを設けたタイプの開閉作業工具（以下、従来例という。）が提案されている。
【０００６】
この従来例は、一方の握持半体の基端部に、他方の握持半体の基端部に架け渡して係止するリング部材を擺動自在に設けたものである。
【発明の開示】
【発明が解決しようとする課題】
【０００７】
ところが、この従来例は、それまで提案される開放付勢体を具備しないタイプのものに比し、この開放付勢体の他にもストッパー構造を別途設けることになる為、量産性が悪くコスト高であり、作業の邪魔になる場合があるなどの問題点がある。
【０００８】
本発明は、上述した問題点に着目し、極めて商品価値の高い画期的な開閉作業工具を開発した。
【課題を解決するための手段】
【０００９】
添付図面を参照して本発明の要旨を説明する。
【００１０】
一対の半体１，２同志を枢着し、この枢着部３の一端側に設けられる握持操作部４の開閉操作により開閉動して切断，挟持，圧搾，孔開け等の手動作業をする開閉作業部５を前記枢着部３の他端側に設けた開閉作業工具において、前記開閉作業部５を開放方向に付勢する開放付勢を発揮する付勢機構６を具備し、この付勢機構６は、開閉作業部５を閉塞方向に付勢する閉塞付勢を発揮するように付勢方向を切り替え自在に構成したことを特徴とする開閉作業工具に係るものである。
【００１１】
また、前記付勢機構６は、閉じ状態の前記開閉作業部５を切断，挟持，圧搾，孔開け等の手動作業に必要となる開放位置となるまで開放方向に付勢する開放付勢状態と、前記開閉作業部５を閉塞方向に付勢して閉じ状態で該開閉作業部５を保持する閉塞付勢状態とを切り替え自在に構成したことを特徴とする請求項１記載の開閉作業工具に係るものである。
【００１２】
また、一方向及びこの一方向と反対となる他方向いずれの方向への変形に際して戻り付勢を生じる付勢体７を具備し、この付勢体７を一方向に変形させた際に生じる戻り付勢が前記開閉作業部５を開放方向に付勢する開放付勢として発揮するとともに、他方向へ変形させた際に生じる戻り付勢が前記開閉作業部５を閉塞方向に付勢する閉塞付勢として発揮するように設けて、前記付勢方向が切り替え自在な前記付勢機構６を構成したことを特徴とする請求項１，２のいずれか１項に記載の開閉作業工具に係るものである。
【００１３】
また、前記付勢体７として一方向及び他方向いずれの方向への曲げ変形に際して戻り付勢を生じる付勢体７を採用し、この付勢体７を曲げ変形する方向を切り替えることで前記付勢方向が切り替え自在となるように設けて前記付勢機構６を構成したことを特徴とする請求項３記載の開閉作業工具に係るものである。
【００１４】
また、前記付勢機構６は、前記握持操作部４を構成する一対の握持半体１ａ，２ａのうち一方の握持半体１ａに突設した付勢体７により押圧付勢される受け体８を他方の握持半体２ａに設けて構成されており、この付勢体７の受け体８に対する当接位置を可変して付勢体７を曲げ変形する方向を切り替えることで前記付勢方向が切り替わるように前記付勢機構６を構成したことを特徴とする請求項１〜４のいずれか１項に記載の開閉作業工具に係るものである。
【００１５】
また、前記付勢機構６は、前記握持操作部４を構成する一対の握持半体１ａ，２ａのうち一方の握持半体１ａに突設した付勢体７により押圧付勢される受け体８を他方の握持半体２ａに設けて構成されており、前記付勢体７は、前記一方の握持半体１ａから突出する突出位置Ｐから一方向及び他方向いずれの方向への曲げ変形に際して前記突出位置Ｐまで戻り付勢を生じるように構成されており、前記開閉作業部５を閉塞する握持操作部４の操作に際し、他方の握持半体２ａに設けた受け体８の一側部８ａが前記付勢体７に圧接して該付勢体７を前記突出位置Ｐから一方向に曲げ変形させた際、前記開閉作業部５を開放方向に付勢する開放付勢が生じ、この開放付勢を生じる曲げ変形方向と反対方向にして前記突出位置Ｐから他方向に前記付勢体７を曲げ変形させ前記受け体８の他側部８ｂに該付勢体７を圧接させた際、開閉作業部５の閉塞状態を保持する閉塞付勢が生じるように構成したことを特徴とする請求項１〜５のいずれか１項に記載の開閉作業工具に係るものである。
【００１６】
また、前記付勢体７の先端部に曲がり部９を設け、この曲がり部９の曲がり外面９ａを、開閉作業部５を閉塞する握持操作部４の操作に際し、他方の握持半体２ａに設けた前記受け体８の一側部８ａが圧接する部位とし、前記曲がり部９の曲がり内面９ｂを、開放付勢を生じる曲がり変形方向と反対方向にして突出位置Ｐから他方向に付勢体７を曲がり変形させることで受け体８の他側部８ｂに圧接する部位としたことを特徴とする請求項５，６のいずれか１項に記載の開閉作業工具に係るものである。
【００１７】
また、前記一方の握持半体１ａを構成する棒状材14に被嵌されるグリップ材10に設けた配設部10ａ若しくは棒状材14と該棒状材14に被嵌されるグリップ材10との間に長尺の付勢体７の基端部を配設して前記付勢機構６を構成したことを特徴とする請求項５〜７のいずれか１項に記載の開閉作業工具に係るものである。
【００１８】
また、前記開閉作業部５として、作業半体１ｂ，２ｂ夫々の内縁に刃部11，12が設けられた開閉作業部５を採用したことを特徴とする請求項１〜８のいずれか１項に記載の開閉作業工具に係るものである。
【発明の効果】
【００１９】
本発明は上述のように構成したから、例えば使用時には開放付勢機能を有するため非常に便利であり、不使用時には閉塞付勢機能を有するため良好な保管状態が得られることになり、しかも、この開閉作業部を開放方向に付勢する開放付勢と開閉作業部の閉塞状態を保持する閉塞付勢が一の構造で兼用される非常に効率の良い構造であるから、前述した従来例が持つ問題点を確実に解消し得ることになるなど、極めて商品価値の高い画期的な開閉作業工具となる。
【発明を実施するための最良の形態】
【００２０】
好適と考える本発明の実施形態（発明をどのように実施するか）を、図面に基づいて本発明の作用を示して簡単に説明する。
【００２１】
本発明に係る付勢機構６は、例えば閉じ状態の開閉作業部５を切断，挟持，圧搾，孔開け等の手動作業に必要となる開放位置となるまで開放方向に付勢する開放付勢状態と、開閉作業部５を閉塞方向に付勢して閉じ状態で該開閉作業部５を保持する閉塞付勢状態とが切り替え自在となる。
【００２２】
従って、例えば使用時には開放付勢機能を有するため非常に便利であり、不使用時には閉塞付勢機能を有するため良好な保管状態が得られることになり、しかも、この開閉作業部５を開放方向に付勢する付勢力と開閉作業部５の閉塞状態を保持する付勢力が一の構造で兼用される非常に効率の良い構造となる。
【実施例】
【００２３】
本発明の具体的な実施例について図面に基づいて説明する。
【００２４】
本実施例は、一対の半体１，２同志を交叉枢着し、この枢着部３の一端側に設けられる一対の握持半体１ａ，２ａから成る握持操作部４の開閉操作により開閉動する一対の作業半体１ｂ，２ｂから成る開閉作業部５を前記枢着部３の他端側に設けたものである。
【００２５】
具体的には、図１に図示したように適宜な金属製の一対の半体１，２を設け、この半体１，２夫々の先端寄りの部位を軸部材13を介して交叉状態で重合枢着し、この枢着部３よりも基端側の部位（棒状材９）にグリップ10を被覆した一対の握持半体１ａから成る握持操作部４を設け、一方、枢着部３よりも先端側の部位に刃部11，12を形成した一対の作業半体１ｂ，２ｂから成る開閉作業部５を設けている。
【００２６】
尚、本実施例では、握持操作部４の閉塞動により開閉作業部５が閉塞動する構造としたが、例えばく字形状の半体の折曲部同志を枢着した構造とすることで握持操作部４の開放動により開閉作業部５が開放動する構造としても良いなど、本実施例の特性を発揮する構成であれば適宜採用し得るものである。
【００２７】
また、本実施例では、開閉作業部５として被挟持物を切断する切断刃11，12を設けた切断作業部５を採用したが、作業半体１ｂ，２ｂ夫々の対向部位に平坦状の挟持面を設けた挟持作業部５を採用しても良いなど、本実施例の特性を発揮する構成であれば適宜採用するものであり（本明細書で言う開閉作業とは、挟持作業や切断作業など種々の開閉して行なう作業の意である。）、また、開閉作業部５における閉塞状態とは、必ずしも挟持面同志が当接せず隙間が生じている場合であってもその工具の開閉作業部５としての機能が発揮されている状態であれば閉塞状態と言う。
【００２８】
また、本実施例は、開閉作業部５を閉塞する握持操作部４の操作に際し、前記開閉作業部５が開放状態となるまで付勢する開放付勢を生じ、且つ、閉塞状態とした開閉作業部５の閉塞状態を保持する閉塞付勢を生じる付勢機構６を設けており、この付勢機構６は、前述した開放付勢と閉塞付勢の付勢方向を切り替え自在に構成されている。即ち、一方向及びこの一方向と反対となる他方向いずれの方向への変形に際して戻り付勢を生じる付勢体７を具備し、この付勢体７を一方向に変形させた際に生じる戻り付勢が前記開閉作業部５を開放方向に付勢する開放付勢として発揮するとともに、他方向へ変形させた際に生じる戻り付勢が前記開閉作業部５を閉塞方向に付勢する閉塞付勢として発揮するように設けて、前記付勢方向が切り替え自在な前記付勢機構６は構成されている。
【００２９】
具体的には、図１に図示したように握持操作部４を構成する一方の握持半体１ａに他方の握持半体２ａに向けて突出する付勢体７を設け、この付勢体７は、前記一方の握持半体１ａから突出する所定の突出位置Ｐから一方向及び他方向いずれの方向への曲げ変形（撓み変形）に際して突出位置Ｐまで戻り付勢力を生じるように構成されており、開閉作業部５を閉塞する握持操作部４の操作に際し、他方の握持半体２ａに設けた受け体８の一側部８ａが前記付勢体７に圧接して該付勢体７を突出位置Ｐから一方向に曲げ変形させた際、開閉作業部５が開放状態となるまで付勢する開放付勢（図１中の矢印Ｓ１）が生じるように構成し、この開放付勢を生じる曲げ変形方向と反対方向にして突出位置Ｐから他方向に前記付勢体７を曲げ変形させることで受け体８の他側部８ｂに該付勢体７を圧接させた際、開閉作業部５の閉塞状態を保持する閉塞付勢力（図１中の矢印Ｓ２）が生じるように構成されている。
【００３０】
この付勢機構６における開放付勢Ｓ１は、握持操作部４に係る握持半体１ａ，２ａを開放方向に付勢することで開閉作業部５に係る作業半体１ｂ，２ｂを開放方向に付勢するものであり、閉塞付勢Ｓ２は、握持操作部４に係る握持半体１ａ，２ａを閉塞方向に付勢することで開閉作業部５に係る作業半体１ｂ，２ｂを閉塞方向に付勢するものである。
【００３１】
付勢体７は、図１に図示したように一方の握持半体１ａを構成する棒状材９に被嵌されるグリップ材10に設けた配設部10ａに長尺状のバネ材７の基端部を配設して前記付勢体７を構成している。
【００３２】
また、付勢体７は、その先端部に曲がり部９が設けられており、この曲がり部９の曲がり外面９ａを、開閉作業部５を閉塞する握持操作部４の操作に際し、他方の握持半体２ａに設けた受け体８の一側部８ａが圧接する部位とし、前記曲がり部９の曲がり内面９ｂを、開放付勢力を生じる曲げ変形方向と反対方向に付勢体７を曲げ変形させることで受け体８の他側部８ｂに圧接する部位としている。
【００３３】
また、付勢体７は、その先端部に操作部７ａが突出形成されており、この操作部７ａに指をかけて付勢体７の曲げ変形操作が行えることになる。
【００３４】
受け体８は、図１に図示したように他方の握持半体２ａの内面にして一方の握持半体１ａの内面と摺り合せする摺り合わせ内面に突起８を突出形成して構成されている。尚、この受け体８は一体であっても別体であっても良い。
【００３５】
以上の構成からなる本工具の動作について説明する。
【００３６】
本工具の使用時には、開閉作業部５を閉塞すべく握持操作部４に係る握持半体１ａ，２ａを閉塞操作した際、他方の握持半体２ａに設けた受け体８の一側部８ａが付勢体７に圧接して該付勢体７を一方向に曲げ変形させた際、前記開閉作業部５が開放状態となるまで付勢する開放付勢Ｓ１が生じ（図３参照）、この握持操作部４を操作する力を緩めると、付勢体７と受け体８で生じる開放付勢Ｓ１により開閉作業部５は開放状態となる（図２参照）。従って、被切断物を切断しては直ぐ離す、切断しては直ぐ離す、といった開閉作業部５の開閉を素早く繰り返し行なう作業が行なえることになる。
【００３７】
本工具の不使用時には、開放付勢Ｓ１を生じる曲げ変形方向と反対方向にして他方向に付勢体７を曲げ変形させ受け体８の他側部８ｂに該付勢体７を圧接させた際、開閉作業部５の閉塞状態を保持する閉塞付勢Ｓ２が生じることになる（図４，５参照）。
【００３８】
本実施例は上述のように構成したから、例えば使用時には開放付勢機能を有するため非常に便利であり、不使用時には閉塞付勢機能を有するため良好な保管状態が得られることになり、しかも、この開閉作業部５を開放方向に付勢する付勢力と開閉作業部５の閉塞状態を保持する付勢力が一の構造で兼用される非常に効率の良い構造となる。
【００３９】
尚、本発明は、本実施例に限られるものではなく、各構成要件の具体的構成は適宜設計し得るものである。
【図面の簡単な説明】
【００４０】
【図１】本実施例を示す正面図である。
【図２】本実施例の動作説明図である。
【図３】本実施例の動作説明図である。
【図４】本実施例を示す斜視図である。
【図５】本実施例に係る要部の動作説明図である。
【符号の説明】
【００４１】
Ｐ  突出位置
１  半体
１ａ  握持半体
２  半体
２ａ  握持半体
３  枢着部
４  握持操作部
５  開閉作業部
６  付勢機構
７  付勢体
８  受け体
８ａ  一側部
８ｂ  他側部
９  曲がり部
９ａ  曲がり外面
９ｂ  曲がり内面
10  グリップ材
10ａ  配設部
【図１】
2008142381.tif 000003
【図２】
2008142381.tif 000004
【図３】
2008142381.tif 000005
【図４】
2008142381.tif 000006
【図５】
2008142381.tif 000007